(57)【特許請求の範囲】
【請求項１】
持ち手の左右に２つのマッサージ部を設けた歯茎用マッサージ具であって、
上記マッサージ部の片面に歯茎に刺激を与えるための複数の突起が設けられ、
上記マッサージ部の断面は、水平方向は、歯茎の表面形状に合わせて湾曲しており、
垂直方向は、歯茎と唇の内側の形状に合わせて曲線で構成され、上記突起が設けられた面は歯茎の表面形状に合わせて湾曲し、
左右のマッサージ部の垂直方向の断面は、上記持ち手を境に互いに１８０°回転し、
全体の平面形状が略Ｓ字状に構成されたことを特徴とする歯茎用マッサージ具。
【発明の詳細な説明】
【技術分野】
【０００１】
本発明は、歯茎をマッサージするための歯茎用マッサージ具に関する。
【背景技術】
【０００２】
口腔内を清潔に保ち、歯槽膿漏、歯肉炎を防止するために、歯ブラシだけではなく、歯茎をマッサージするための道具が用いられている。
【０００３】
このような歯茎をマッサージする道具は、従来の歯ブラシに似た形状のものが多く用いられている。例えば、特開平０６−３０４２１８号公報、あるいは特開平１１−１０４２００号公報に記載されているような歯ブラシ型の歯茎用マッサージ装置があった。
【特許文献１】特開平０６−３０４２１８号公報
【特許文献２】特開平１１−１０４２００号公報
【発明の開示】
【発明が解決しようとする課題】
【０００４】
しかし、従来の歯ブラシ型の歯茎用マッサージ装置は、歯茎の形状にフィットしておらず、十分なマッサージ効果を与えているとは言えなかった。
【０００５】
また、歯ブラシで歯を磨く時と同様に、上下、左右にマッサージをする部分を移動させて歯茎をマッサージしなければならず、マッサージ装置を頻繁に持ち替えたり、移動させたりする必要があった。
【０００６】
そこで、本発明は、よりスムーズに、より効果的に歯茎をマッサージすることができる歯茎用マッサージ具を提供することを目的とする。
【課題を解決するための手段】
【０００７】
本発明の歯茎用マッサージ具は、持ち手の左右に２つのマッサージ部を設けた歯茎用マッサージ具であって、上記マッサージ部の片面に歯茎に刺激を与えるための複数の突起が設けられ、上記マッサージ部の断面は、水平方向は、歯茎の表面形状に合わせて湾曲しており、垂直方向は、歯茎と唇の内側の形状に合わせて曲線で構成され、上記突起が設けられた面は歯茎の表面形状に合わせて湾曲し、左右のマッサージ部の垂直方向の断面は、上記持ち手を境に互いに１８０°回転し、全体の平面形状が略Ｓ字状に構成されたことを特徴とする。
【発明の効果】
【０００８】
本発明の歯茎用マッサージ具は、本発明の歯茎用マッサージ具は、持ち手の左右に２つのマッサージ部を設けた歯茎用マッサージ具であって、上記マッサージ部の片面に歯茎に刺激を与えるための複数の突起が設けられ、上記マッサージ部の断面は、水平方向は、歯茎の表面形状に合わせて湾曲しており、垂直方向は、歯茎と唇の内側の形状に合わせて曲線で構成され、上記突起が設けられた面は歯茎の表面形状に合わせて湾曲し、左右のマッサージ部の垂直方向の断面は、上記持ち手を境に互いに１８０°回転し、全体の平面形状が略Ｓ字状に構成されたことにより、よりスムーズに、より効果的に歯茎をマッサージすることが可能となる。
【発明を実施するための最良の形態】
【０００９】
本発明を、図を用いて以下に詳細に説明する。図１が本発明の歯茎用マッサージ具１の正面図である。
【００１０】
本発明の歯茎用マッサージ具１は、図１に示すように、持ち手４の左右に２つのマッサージ部２，２’を設け、上記マッサージ部２，２’の表面に歯茎に刺激を与えるための複数の突起３を設けている。また、上記持ち手４の表面には、滑り止めのリブ５を設けている。
【００１１】
上記マッサージ部２，２’の水平方向の断面は、歯茎の表面形状に合わせて湾曲しており、図２に示すように、上記歯茎用マッサージ具１全体の平面形状は略Ｓ字状となっている。このように、上記マッサージ部２，２’の水平方向の断面形状を歯茎の表面形状に合わせて湾曲させることにより、上記マッサージ部２，２’は、歯茎にフィットしより効果的に歯茎に刺激を与え、マッサージを行うことが可能となる。
【００１２】
上記マッサージ部２、２’の垂直方向の断面は、図３に示すように、歯茎と唇の内側の形状に合わせて曲線で構成され、上記突起３が設けられた面は歯茎の表面形状に合わせて湾曲させている。このような断面形状とすることにより、歯茎によりフィットするだけでなく、口の中でよりスムーズに上記歯茎用マッサージ具１を動かすことができる。
【００１３】
また、上記マッサージ部２、２’の垂直方向の断面は、上記持ち手を境に左右が互いに１８０°回転した形状としている。本実施形態では、右側の上記マッサージ部２’の垂直方向の断面形状は、左側の上記マッサージ部２の断面形状を、１８０°回転させた形状となっており、上記マッサージ部２，２’を上記持ち手４で捻った形になっている。
【００１４】
上記マッサージ具２，２’の垂直方向および水平方向の湾曲形状を適切に設定することにより、より歯茎の形状にフィットさせて、効果的に歯茎をマッサージすることが可能となる。
【００１５】
上記突起３の先端は歯茎への刺激をより効果的に与えるための形状とすることが好ましく、本実施形態では、円形としている。また、図では、上記マッサージ部２，２’に上記突起３を３段配置する形状としているが、上記突起３の大きさや個数等はこれに限定するものではなく、適宜設定可能とする。
【００１６】
上記歯茎用マッサージ具１の材質としては、シリコンあるいはエラストマー等を用いて形成し、歯茎に適切な触感を与えるものとする。
【００１７】
上記マッサージ具１の使用方法について図４を用いて説明する。
【００１８】
まず初めに、図４（ａ）の状態で右手で上記歯茎用マッサージ具１の持ち手４を持ち、上記マッサージ部２で左上の歯茎をマッサージする。
【００１９】
左上の歯茎のマッサージが終わったら、図４（ａ）に示す矢印のように、上記歯茎用マッサージ具１を１８０°回転させて図４（ｂ）の状態とし、上記持ち手４を左手で持ち、上記マッサージ部２で右下の歯茎をマッサージする。
【００２０】
右下の歯茎のマッサージが終わったら、図４（ｂ）に示す矢印のように、上記歯茎用マッサージ具１の裏表が反対になるように回転させて図４（ｃ）の状態とし、上記持ち手４を右手で持ち、上記マッサージ部２’で左下の歯茎をマッサージする。
【００２１】
左下の歯茎のマッサージが終わったら、図４（ｃ）に示す矢印のように、上記歯茎用マッサージ具１を１８０°回転させて図４（ｄ）の状態とし、上記持ち手４を左手で持ち、上記マッサージ部２で右上の歯茎をマッサージする。このようにして、全ての歯茎をマッサージすることができる。
【００２２】
図４に示すのは上記歯茎用マッサージ１の使用方法の一例であり、特にこれに限定するものではなく、使用する人が便利なように使うことができる。
【００２３】
このように、本発明の歯茎用マッサージ具１を用いることによって、よりスムーズに、より効果的に歯茎をマッサージすることが可能となる。
【図面の簡単な説明】
【００２４】
【図１】本発明の歯茎用マッサージ具の正面図である。
【図２】歯茎用マッサージ具の平面図である。
【図３】（ａ）が図１のＡ−Ａ断面図であり、（ｂ）が図１のＢ−Ｂ断面図である。
【図４】本発明の歯茎用マッサージ具の使用状態を示す正面図である。
【符号の説明】
【００２５】
１        歯茎用マッサージ具
２、２’  マッサージ部
３        突起
４        持ち手
５        リブ
【図１】
0005086846.tif 000002
【図２】
0005086846.tif 000003
【図３】
0005086846.tif 000004
【図４】
0005086846.tif 000005